(57)【要約】【課題】  ジャスターボルト装置の上下高さ調整をするに当たって、アジャスターボルト装置の周囲に広いスペースを必要とすることがなく、その上、一般的に用いられている電動工具を使用することができるアジャスターボルト装置を提供する。【解決手段】  被支持体１を下方から支持する支持部２と、該支持部２を上下に移動させる上下駆動部７と、上下駆動部７を支持する台座部４と、を備えたアジャスターボルト装置６である。前記上下駆動部７は水平方向に軸をとり軸回りに回転自在に台座部４に設けられた調整軸５を備え、該調整軸５を回転させることで支持部２を上下に移動するように構成した。【選択図】        図１
2010051407.tif 000002
【特許請求の範囲】
【請求項１】
被支持体を下方から支持する支持部と、該支持部を上下に移動させる上下駆動部と、上下駆動部を支持する台座部と、を備えたアジャスターボルト装置であって、前記上下駆動部は水平方向に軸をとり軸回りに回転自在に台座部に設けられた調整軸を備え、該調整軸を回転させることで支持部を上下に移動するように構成して成ることを特徴とするアジャスターボルト装置。
【請求項２】
前記上下駆動部は、上下方向に軸をとり軸回りに回転自在に台座部に設けられて且つ回転することで前記支持部を上下に移動させる回転芯材と、水平方向に軸をとり軸回りに回転自在に台座部に設けられた前記調整軸と、で構成され、回転芯材の外周全周に上下方向に長い溝部を設け、調整軸の軸外面に螺設されたねじ部と前記溝部とを噛み合わせ、調整軸の回転により回転芯材が回転して成ることを特徴とする請求項１記載のアジャスターボルト装置。
【発明の詳細な説明】
【技術分野】
【０００１】
本発明は、被支持体を支持し且つ該被支持体の水平姿勢や高さを調節できるアジャスターボルト装置に関するものである。
【背景技術】
【０００２】
従来から、システムバスや浴室用床パンのような被支持体を支持し、これらを設置などする際に水平姿勢となるように調整したり高さ調整したりできるものとして、例えば特許文献１のものが知られている。この特許文献１には、浴室用床パンとしての被支持体を上下高さ調整可能なアジャスターボルト装置により支持するものが開示されている。
【特許文献１】実開平６−５４８５３号公報
【発明の開示】
【発明が解決しようとする課題】
【０００３】
ところで、このような従来例に示すアジャスターボルト装置の上下高さ調整をするに当たっては、地面に接地している六角ボルトの頭部を該六角ボルトの軸芯回りに回転させ、この六角ボルトの螺入長さを変えることで上下高さ調整を行なうようになっているため、この六角ボルトを軸回りに回転させる必要がある。このとき、この六角ボルトを軸芯回りに回転させるには、接地している六角ボルトの頭部側方からスパナ等の工具を嵌め込み、該工具を六角ボルトの軸芯を中心に軸回りに回動させるのであるが、かかる作業を行なうに当たり、ボルトの軸芯を中心とし且つスパナ等の工具の全長が半径となる範囲の大きなスペースがアジャスターボルト装置の周囲に必要となってしまう。
【０００４】
特に、浴室用床パンのような底面を有する被支持体に設置されたアジャスターボルト装置の上下高さを調節するに際しては、該被支持体の下方に潜ってかかる作業をする必要があるが、潜った姿勢のままこのような作業を行なうのは非常に困難なものである。そのため、電動工具を使用した調整ができることが望まれているが、六角ボルトの頭部側方から工具を嵌め込み、且つ六角ボルトの軸芯回りに回転させることのできる一般的な電動工具は存在しない。このため、作業者は浴室用床パンの下方に潜り地面に這った無理な体勢のまま、スパナ等の工具を六角ボルトの頭部側方から嵌め込み、且つ軸回りに回動させるという作業をしなければならず、作業性が非常に悪いという問題があった。
【０００５】
本発明は、上記従来の問題に鑑みてなされたものであり、その目的とするところは、アジャスターボルト装置の上下高さ調整をするに当たって、アジャスターボルト装置の周囲に広いスペースを必要とすることがなく、その上、一般的に用いられている電動工具を使用することができるアジャスターボルト装置を提供することにある。
【課題を解決するための手段】
【０００６】
上記課題を解決するために請求項１に係る発明にあっては、被支持体１を下方から支持する支持部２と、該支持部２を上下に移動させる上下駆動部７と、上下駆動部７を支持する台座部４と、を備えたアジャスターボルト装置６であって、前記上下駆動部７は水平方向に軸をとり軸回りに回転自在に台座部４に設けられた調整軸５を備え、該調整軸５を回転させることで支持部２を上下に移動するように構成して成ることを特徴とするものである。
【０００７】
このように構成したことで、調整軸５を水平方向の軸回りに回転させることで上下高さ調整をすることが可能となるため、ドライバーやソケットレンチのような工具を使用すれば、アジャスターボルト装置６の周囲に適当なスペースが無くとも、上下高さ調整をすることが可能となる。その上、このような構成によれば、上下高さ調整をするに当たり、電動ドライバー用ソケットレンチ等の電動工具を使用することができる。
【０００８】
また、請求項２に係る発明にあっては、請求項１に係る発明において、前記上下駆動部７は、上下方向に軸をとり軸回りに回転自在に台座部４に設けられて且つ回転することで前記支持部２を上下に移動させる回転芯材３と、水平方向に軸をとり軸回りに回転自在に台座部４に設けられた前記調整軸５と、で構成され、回転芯材３の外周全周に上下方向に長い溝部３１を設け、調整軸５の軸外面に螺設されたねじ部５１と前記溝部３１とを噛み合わせ、調整軸５の回転により回転芯材３が回転して成ることを特徴とするものである。
【０００９】
このように構成したことで、請求項１の効果に加えて、簡単な構成で且つ部品点数の少ないアジャスターボルト装置６とすることができる。
【発明の効果】
【００１０】
本発明によれば、アジャスターボルト装置の上下高さを簡単に調整することができるので、このアジャスターボルト装置に取り付けられた被支持体の水平状態や高さを簡単に調整することができる。その結果、被支持体の据付け現場における作業効率を向上させることができる。
【発明を実施するための最良の形態】
【００１１】
以下、本発明について添付図面に基づいて説明する。
【００１２】
添付図面に示す本発明の実施例は、被支持体１の一例としてのシステムバスの浴室用床パン（図示せず）に、これを下方から支持するアジャスターボルト装置６が取り付けてある。本実施例のアジャスターボルト装置６は、図１乃至図４に示すように、浴室用床パンの下面に取り付けられて且つアジャスターボルト装置６の上部に位置する支持部２と、支持部２に嵌め込まれた筒状の回転芯材３と、回転芯材３を嵌入した状態で該回転芯材３を下方から支持する台座部４と、水平方向に軸を取り該軸回りに回転自在に台座部４に設けられた調整軸５と、で構成されている。
【００１３】
支持部２は、ポリ塩化ビニル等の樹脂により形成されており、下方に向けて開口する有蓋円筒形状により構成されている。支持部２の内部中央には、内側面２１から隙間を介して棒状の中央軸２２が下方に向けて突設してあり、支持部２の外側下端と略面一となる長さに形成されている。この中央軸２２の外周面には、雄ねじが上下方向の全長に亘って螺設してあり、該中央軸２２に対向する支持部の内側面２１は、回転芯材３が摺接可能なように滑らかな表面となっている。支持部２の上端には浴室用床パンに取り付け可能な床パン取合部２３が固設されており、本実施例においては、図４に示すように、この床パン取合部２３は六角ボルトの頭部と同じ形状に形成されている。
【００１４】
回転芯材３は、支持部２と同様な樹脂により形成されており、上下方向に長い円筒形状により主体が構成されている。この回転芯材３の内部にある中央穴部３２には、上下方向の全長に亘り雌ねじが螺刻されており、上述した雄ねじが螺設された中央軸２２が螺入できるようになっている。回転芯材３の外周全周の面には、上下端部に亘るように溝部３１が形成されている。
【００１５】
台座部４は、支持部２及び回転芯材３と同様な樹脂により形成されており、上方に向けて開口する有底円筒状で且つ前記回転芯材３が上方から嵌入する円筒部４１と、円筒部４１の下端から外方に向けて連出し且つ裏面を地面当接面４２とする平面視略矩形状の接地部４３と、から構成されている。円筒部４１の内側面は回転芯材３の外周面が摺接可能なように円滑な表面となっており、該円筒部４１の底面は、回転芯材３の下端部が当接し且つ回転自在となるように滑らかな表面となっている。接地部４３と円筒部４１とで成す外部の角部には、リブ４４が複数個所に形成されており（本実施形態では４箇所）、これにより強度の向上を図っている。さらに、図１（ｂ）及び図４に示すように、円筒部４１の上部には外方にむけて突出する膨出部４５が形成されている。この膨出部４５には、水平方向に調整軸５が挿通される調整軸用穴４６が該膨出部４５の両端を貫通して穿設してあり、この調整軸用穴４６は膨出部４５中央において円筒部４１内部の空間と連通している。さらに、膨出部４５の膨出先端の側面には、矩形状のストッパー用係止穴４７が形成されている。
【００１６】
調整軸５は、上記と同様な樹脂により形成されており、雄ねじがから成るねじ部５１が軸外面に螺刻される軸部５２と、軸部５２の一方の端部に設けられて平面視六角形状のねじ頭部５３と、台座部４の膨出部４５に設けられた調整軸用穴４６に軸部５２を挿通した状態で該調整軸５の抜け止めを図る調整軸抜け止め片５４と、から構成されている。調整軸５の軸芯上のねじ頭部５３には、ストッパー用係止凹部５５が形成されている。
【００１７】
このように形成された台座部４の円筒部４１には、回転芯材３が嵌入すると共に、台座部４の膨出部４５に設けられた調整軸用穴４６に調整軸５が挿通されており、しかも、調整軸用穴４６と円筒部４１内部の空間との連通部において、回転芯材３の外周面に形成されている溝部３１に調整軸５の雄ねじが螺刻されたねじ部５１が噛み合っている。さらに、回転芯材３の上端には支持部２が設置してあり、詳しくは上述したように、回転芯材３の中央穴部３２に支持部２の中央軸２２が螺入して設置されている。
【００１８】
このように構成された本実施例のアジャスターボルト装置６は、回転芯材３と調整軸５とから成る上下駆動部７を操作することにより、支持部２が上下に移動して上下高さ調整をするのであるが、詳しくは以下のように動作する。
【００１９】
台座部４の膨出部４５に回転自在に設置された調整軸５を水平軸回りに回転すると、調整軸５のねじ部５１に噛み合う回転芯材３の溝部３１がねじ部５１に沿って移動する。要するに、水平方向に軸をとり該軸回りに回転する調整軸５の回転によって、調整軸５の回転軸と略直交する回転軸をとる回転芯材３が、この上下方向の回転軸回りに回転することになる（図３中矢印イ及び矢印ロ参照）。次に、このように回転芯材３が回転することにより、浴室用床パンに設置されて回転できない支持部２が螺退もしくは螺進することになる（図３中矢印ハ参照）。さらに言えば、支持部２の中央軸２２が、回転する回転芯材３の中央穴部３２との螺合位置を変えることになり、その結果、支持部２が上方もしくは下方に移動するようになっている。この支持部２は、図１（ａ）に示すように、回転芯材３の上端に支持部２の内面の上面が当接した状態から、回転芯材３と支持部２とがある程度の重なり代を残した高さまでの範囲で調整が可能となっている（図１（ａ）；符合Ａ参照）。
【００２０】
このように構成されたアジャスターボルト装置６は、上述した通り、浴室用床パンの下部に設置されて該浴室用床パンを支持している。
【００２１】
本実施例の浴室用床パンはＦＲＰ（Fiber Reinforced Plastics）プレス成形で成形されており、該浴室用床パンの底面の裏面にはアジャスターボルト装置６の支持部２に設けた床パン取合部２３に嵌まり込む被取合部（図示せず）が複数個所に設置されている。
【００２２】
このような浴室用床パンにアジャスターボルト装置６を設置するに当たっては、浴室用床パンを表裏反転して（すなわち、アジャスターボルト装置６の設置面を上にして）作業を行なう。上方に臨む浴室用床パンの裏面に形成された被取合部に、組み立てられたアジャスターボルト装置６の支持部２にある床パン取合部２３を固設する。このようにして、浴室用床パンの裏面に複数のアジャスターボルト装置６が固設された状態で、さらに表裏反転して（すなわち、アジャスターボルト装置６の設置面を下にして）所定の位置に配設される。
【００２３】
所定の位置に配設された浴室用床パンは、該浴室用床パンの水平面が水平状態ではなかったり、浴室用床パンの縁部と浴室に隣り合う脱衣室との高さがずれたりしていることがあるため、アジャスターボルト装置６の高さを調節して、浴室用床パンの高さを調整する必要がある。
【００２４】
この調整をするに当たり、作業者が浴室用床パンの下方に潜って作業を行なう。このとき作業者は、アジャスターボルト装置６の調整軸５を水平方向の軸回りに回転させるだけで、アジャスターボルト装置６の高さ調整ができ、すなわち浴室用床パンの上下高さの調整ができるため、ナットドライバーやソケットレンチといった工具を使用することによって、身体の位置を変更しなくとも（アジャスターボルト装置６の設置してある部位に近づかなくとも）手を伸ばして手首を返すという動作（ドライバーなどを軸回りに回転させる動作）のみで、高さ調整をすることができる。しかも、電動ドライバー用ソケットレンチ等の電動工具を使用すれば、このような手首を返す動作も不要となり、短時間で且つ容易に上下高さ調整が可能となる。
【００２５】
ここで、高さ調整が完了した後においても、振動等によって回転芯材３と調整軸５が回転してしまい、アジャスターボルト装置６及び浴室用床パンの高さが変わってしまう場合がある。そのため、回転防止ストッパー８を設置することで、回転芯材３と調整軸５の回転をロックするようになっている。この回転防止ストッパー８は、平面視略Ｌ字形状のストッパー本体８１と、このストッパー本体８１の両端部から略直角方向に突設するストッパー係止爪８２とで構成されている。このストッパー係止爪８２を、台座部４に形成されたストッパー用係止穴４７と、調整軸５のねじ頭部５３に形成されたストッパー用係止凹部５５とにそれぞれ挿入し且つ係止することによって、回転芯材３と調整軸５の回転を防止するようになっている（図４参照）。
【００２６】
上述のように、本実施例のアジャスターボルト装置６は、単純な構成にしたため幅のとらない形状に形成してあるから、浴槽用床パンの下面に複数個のアジャスターボルト装置６を設置する必要があっても、設置に要するスペースが少なくてすむ。そのため、作業者が作業し易いという利点も有している。
【００２７】
なお、回転芯材３の外周面の溝部３１は、調整軸５に噛み合う部位にのみ縦に長い溝部３１があれば本発明の効果を奏することが可能であるが、本実施例のように回転芯材３の両端部に亘るように溝部３１を形成していれば、アジャスターボルト装置６を組み立てる際に、回転芯材３の上下を誤って組み立てることがないため、より一層組立て性が向上するという利点を有している。
【００２８】
次に、他の実施形態について図５に基づいて説明する。なお、本実施形態は図１乃至図４に示す実施形態と大部分において同じであるため、同じ部分においては同符号を付して説明を省略し、主に異なる部分について説明する。
【００２９】
本実施形態は、上述した実施形態と支持部２の床パン取合部２３のみ相違している。本実施例の床パン取合部２３は、支持部２の上端から上方にむけて突起部２３ａが突設されている。この突起部２３ａは、側面に雄ねじが螺刻されている。
【００３０】
本実施例の浴室用床パン（図示せず）は、上述の実施例と同様に、ＦＲＰプレス成形で成形されており、該浴室用床パンの底面の裏面にはアジャスターボルト装置６の支持部２に設けた床パン取合部２３（突起部２３ａ）に螺合して設置できる被取合部（図示せず）が複数個所に設置されている。これにより、浴室用床パンとアジャスターボルト装置６の固設が可能となっている。
【００３１】
以上、被支持体１の一例として、システムバスの浴室用床パンに基づいて本発明を説明したが、被支持体１は家具等のようなものに対しても本発明のアジャスターボルト装置６を適用することができる。
【００３２】
また、本実施例のアジャスターボルト装置６は、樹脂により形成されているから、特に近年材料費の高騰が著しい鋼製のものに比べて、部材自体の単価を下げることができる。その上、樹脂は成形自体が容易にできるため、床パン取合部２３の形状を床パンの形状に合わせて成形することが可能であり、設計上の利点も多い。さらに、調整軸５は規格品の六角ボルトを使用することも可能であり、その場合、より一層コストを削減することができる。
【００３３】
なお、アジャスターボルト装置６を鋼製のものとしても、本発明と同様の効果を得ることができるのは勿論のことであるが、この場合、樹脂製のものと比較して強度は向上するものの、その反面、コストは上昇し、床パン取合部の形状を床パンの形状に合わせて成形し難くなるという問題が生じてしまう。
【図面の簡単な説明】
【００３４】
【図１】本発明の一実施形態を説明する図であり（ａ）は上部断面図であり、（ｂ）は側断面図である。
【図２】同上の側断面図である。
【図３】同上の上下駆動部及び支持部の要部斜視図である。
【図４】同上の斜視図である。
【図５】他の実施形態の斜視図である。
【符号の説明】
【００３５】
１      被支持体
２      支持部
２１    支持部の内側面
２２    中央軸
２３    床パン取合部
３      回転芯材
３１    溝部
３２    中央穴部
４      台座部
４１    円筒部
４２    地面当接面
４３    接地部
４４    リブ
４５    膨出部
４６    調整軸用穴
４７    ストッパー用係止穴
５      調整軸
５１    ねじ部
５２    軸部
５３    ねじ頭部
５４    抜け止め片
５５    ストッパー用係止凹部
６      アジャスターボルト装置
７      上下駆動部
８      回転防止ストッパー
８１    ストッパー本体
８２    ストッパー係止爪
【図１】
2010051407.tif 000003
【図２】
2010051407.tif 000004
【図３】
2010051407.tif 000005
【図４】
2010051407.tif 000006
【図５】
2010051407.tif 000007